(57)【要約】【課題】伴奏音楽に合わせて歌唱する歌唱者の歌声音量が大きすぎた場合に、歌唱者にそのことを改まって注意するまでもなく、さりげなく気付かせて自発的に歌声音量を下げる気にならせる有効なきっかけを与え、これにより、カラオケ利用の楽しみを損ねることなく、歌唱者の歌声音量レベルを高い確率で下げさせる。【解決手段】マイクロホン１７１からの歌声入力の振幅レベルの移動平均を求めつつ、求めた移動平均レベルが予め設定された基準レベルを超える場合に、伴奏音楽の出力音量を低減させる。【選択図】  図３
2011017998.tif 000002
【特許請求の範囲】
【請求項１】
マイクロホンからの歌声入力の振幅レベルの移動平均を求めつつ、求めた移動平均レベルが予め設定された基準レベルを超える場合に、伴奏音楽の出力音量を低減させることを特徴とするカラオケ装置。
【請求項２】
請求項１において、移動平均レベルが基準レベルを超える状態が所定時間以上継続した場合に伴奏音楽の出力音量をさらに一段階低減させることを特徴とするカラオケ装置。
【発明の詳細な説明】
【技術分野】
【０００１】
この発明はカラオケ装置に関し、とくに、声が大きすぎる人にさりげなく注意を喚起する機能を備えたカラオケ装置に関する。
【背景技術】
【０００２】
カラオケ装置は、カラオケデータベースを形成するハードディスク装置、音楽演奏データに基づいて伴奏音楽の音響信号を生成する音楽生成装置、伴奏音楽やマイクロホンからの音響信号等を増幅してスピーカから発音させる音響装置、ＬＣＤやＰＤＰなどを用いたディスプレイ（表示装置）、このディスプレイに表示すべき映像データを処理する映像処理装置、利用者からの入力と利用者に向けての応答をやりとりする利用者インターフェイス装置などで構成される（たとえば、特許文献１〜４）。
【０００３】
音響装置はミキシングアンプを含み、音楽生成装置で生成された伴奏音楽と、マイクロホンに入力された歌声音声とを混合・増幅してスピーカより音響出力する。これにより、歌唱者はスピーカから流れる伴奏音楽を聴きながらそれに合わせて歌唱を楽しむことができる。
【先行技術文献】
【特許文献】
【０００４】
【特許文献１】特開平１１−３８９８１公報
【特許文献２】特開平１１−３４４９８７号公報
【特許文献３】特開２００６−１２６５２３号公報
【特許文献４】特開２００４−３４１２２８号公報
【発明の概要】
【発明が解決しようとする課題】
【０００５】
カラオケ利用者は、任意にリクエストしたカラオケ楽曲の伴奏音楽を聴きながら、その伴奏音楽に合わせて自由に歌唱することができるが、その歌唱に際し、歌声が不相応に大きすぎて、歌唱している本人以外には耳障りとなり、周囲に迷惑を感じさせてしまう場合もある。この場合、歌唱者がそれに気付いて自身の歌声音量を抑制しようとする気になればよいが、伴奏音楽に合わせて歌唱することに集中している歌唱者には、その歌唱中に周囲の状況を気遣う余裕がないことが多い。
【０００６】
仮に、歌唱者の歌声音量レベルが過大になったときに、それを知らせる警告表示を行うようにしたとしても、歌唱者がそれに気付いて歌声音量を適切に下げてくれることを期待するのは無理であろう。また、レベルメータなどによって表示される歌声音量レベルは音節単位で目まぐるしく変動し、ある瞬間では警告レベル以下であっても、次の瞬間にはその警告レベルを超えたりして、どの程度の音量ならば良いのかを歌唱者が的確に把握しにくいという問題もある。そして、歌唱者が、歌声音量が大きすぎるという注意を受けた場合、あるいは歌唱者が自身の歌声音量レベルを気にしすぎた場合、そのことが歌唱の気分を阻害し、伴奏音楽に合わせて自由に歌唱するというカラオケ利用の楽しみを損ねてしまう、ということも懸念される。
【０００７】
歌唱者の歌声音量を抑制する方法としては、マイクロホンからの歌声入力の振幅レベルが所定レベルを超えないようにマイクロホンアンプの増幅利得をフィードバック制御する自動音量制御を行うことが考えられる。しかし、この自動音量制御を行うと、歌唱者は自分の歌声音量がスピーカからの出力音量に忠実に反映されないことから、歌声声量を上げる方向に走ってしまう。つまり、スピーカから出力される歌声音量を自動音量制御によって強制的に抑制すると、歌唱者はその自動音量制御による音量抑制が自分の歌声音量不足であるかのように錯誤し、その歌声音量不足を補おうとして、歌声音量をさらに上げるべく大声を張り上げる結果を招きやすい。また、自動音量制御は、音量のダイナミックレンジを自動的（機械的）に抑圧して音量を平均化するものであるため、音量に抑揚のある歌唱を妨げてしまうという弊害もともなう。
【０００８】
この発明は以上のような問題を解決するものであって、その目的は、伴奏音楽に合わせて歌唱する歌唱者の歌声音量が大きすぎた場合に、歌唱者にそのことを改まって注意するまでもなく、さりげなく気付かせて自発的に歌声音量を下げる気にならせる有効なきっかけを与えることができ、これにより、カラオケ利用の楽しみを損ねることなく、歌唱者の歌声音量レベルを高い確率で下げさせることができるカラオケ装置を提供することにある。
【課題を解決するための手段】
【０００９】
この発明に係るカラオケ装置は、次の事項（１）（２）により特定されるものである。  
（１）マイクロホンからの歌声入力の振幅レベルの移動平均を求めこと
（２）移動平均を求めつつ、求めた移動平均レベルが予め設定された基準レベルを超える場合に、伴奏音楽の出力音量を低減させること
【発明の効果】
【００１０】
伴奏音楽に合わせて歌唱する歌唱者の歌声音量が大きすぎた場合に、歌唱者にそのことを改まって注意するまでもなく、さりげなく気付かせて自発的に歌声音量を下げる気にならせる有効なきっかけを与えることができ、これにより、カラオケ利用の楽しみを損ねることなく、歌唱者の歌声音量レベルを高い確率で下げさせることができる。
【図面の簡単な説明】
【００１１】
【図１】本発明のカラオケ演奏装置全体の概略構成を示すブロック図である。
【図２】本発明の第１実施形態の要部を示すフローチャートである。
【図３】本発明の第１実施形態における伴奏音楽の出力音量制御例を示すグラフである。
【図４】本発明の第２実施形態の要部を示すフローチャートである。
【図５】本発明の第２実施形態における伴奏音楽の出力音量制御例を示すグラフである。
【発明を実施するための形態】
【００１２】
＝＝＝カラオケ装置全体の基本構成＝＝＝  
本発明に係るカラオケ装置の概略構成を図１に例示する。  
このカラオケ装置は、周知のパソコン相当のコンピュータ応用機器であって、その中核をなす中央処理装置１１は、ＣＰＵ・ＲＡＭ・ＲＯＭを含むコンピュータ本体を形成する。
【００１３】
この中央処理装置１１の制御管理下に、大容量の外部記憶としてのハードディスク装置１２、ＣＤ−ＲＯＭやＤＶＤ−ＲＯＭなどの光ディスク再生装置１３、光通信回線などの公衆通信回線を介してカラオケホスト装置と通信する通信制御装置１４、利用者からの入力と利用者に向けての応答をやりとりする利用者インターフェイス装置１５、ＭＩＤＩ形式の音楽演奏データに基づいて伴奏音楽の音響信号を生成する音楽生成装置１６、伴奏音楽やマイクロホン１７１からの音響信号等を増幅してスピーカ１７２から発音させる音響装置１７、ＬＣＤやＰＤＰなどを用いたディスプレイ（表示装置）１８、このディスプレイ１８に表示すべき映像データを処理する映像処理装置１９が設置されている。
【００１４】
ハードディスク装置１２には、多数のカラオケ楽曲について、ＭＩＤＩデータを主体とした伴奏音楽データと、歌詞字幕の生成起源となる歌詞文字データなどを含むカラオケデータが蓄積されている。また、所定形式の長時間分の動画データと、動画データの処理シーケンス（処理すべき動画データの格納場所と処理順番など）を規定した台本データや、演奏可能なカラオケ楽曲について、曲名やアーティスト名、発表年、歌詞の歌い出し部分などの目次情報も格納されている。
【００１５】
音楽生成装置１６は、カラオケデータ中の伴奏音楽データによって伴奏音楽を生成する。歌詞文字データについては、伴奏音楽に同期して歌唱すべき箇所が色変わりする歌詞字幕画像を順次生成してビデオＲＡＭにビットマップ展開していく。また、台本データに基づいて所定の動画データを所定の順番で映像処理装置１９に順次転送して歌詞字幕の背景動画を復号させる。
【００１６】
音響装置１７は、マイクロホンアンプ３１、マイク音量制御部３２、マイク音量レベル検出部３３、伴奏音量制御部３５、ミキシングアンプ３６などの音響系回路を含み、音楽生成装置１６で生成された伴奏音楽と、マイクロホン１７１に入力された歌声音声とを混合・増幅してスピーカ１７２から音響出力させる。
【００１７】
映像処理装置１９は、復号した動画映像に歌詞字幕をスーパーインポーズ処理してディスプレイ１８に表示出力する。歌詞字幕は、伴奏音楽の進行に同期した時系列の歌詞文字データから順次作成される。
【００１８】
利用者インターフェイス装置１５は、カラオケ装置本体の操作パネル１５１やカラオケリモコン装置１５２を含む。そのカラオケリモコン装置１５２との間で操作情報をやりとりするため、双方向通信が可能な短距離無線通信手段（ＩｒＤＡトランシーバ・赤外線ＬＥＤ・赤外線受光素子）を備えている。
【００１９】
中央処理装置１１は、各楽曲のカラオケデータ、台本データ、および目次情報などを楽曲ＩＤによって識別し、これをカラオケデータベースとして管理する。
【００２０】
この中央処理装置１１は、利用者インターフェイス装置１５から予約コマンド（リクエスト）を受信する。予約コマンドは楽曲ＩＤ（楽曲識別符号）を含む。この予約コマンドを受信すると、そのコマンドに含まれている楽曲ＩＤを受け取った順に処理予約の待ち行列の末尾に登録する。そして待ち行列の先頭から楽曲ＩＤを順次取り出す。待ち行列から楽曲ＩＤが取り出された場合は、カラオケデータベースから該当する楽曲用のカラオケデータを取り出して演奏処理に供する。
【００２１】
＝＝＝第１実施形態の要部構成とその動作について＝＝＝
本発明の第１実施形態の主要部は、上記音響装置１７と、この音響装置１７を制御する中央処理装置１１によって構成される。
【００２２】
音響装置１７は、図１に示すように、マイクロホンアンプ３１、マイク音量制御部３２、マイク音量レベル検出部３３、伴奏音量制御部３５、ミキシングアンプ３６などによる構成されている。
【００２３】
マイクロホン１７１から入力された歌声信号は、マイクロホンアンプ３１およびマイク音量制御部３２を介してミキシングアンプ３６に入力される。音楽生成装置１６で生成された伴奏音楽は伴奏音量制御部３５を介してミキシングアンプ３６に入力される。ミキシングアンプ３６は、歌声信号と伴奏音楽を混合・増幅してスピーカ１７２から音響出力させる。
【００２４】
このとき、歌声信号は、マイクロホン音量レベル検出部３３にてその振幅レベルすなわち歌声音量レベルが検出される。このレベル検出はたとえば歌声信号の包路線検波により行うことができる。また、歌声信号と伴奏音楽の各音量レベルはそれぞれ、マイク音量制御部３２と伴奏音量制御部３５にて可変制御されるが、この可変制御は中央処理装置１１からの指令により行うことが可能になっている。
【００２５】
図２は、上述したカラオケ装置の要部における論理構成および動作をフローチャート化して示す。また、図３は、上述したカラオケ装置の要部における制御動作例をグラフ（タイミングチャート）により示す。
【００２６】
図１〜図３において、カラオケ演奏中には、マイク音量レベル検出部３３から歌声入力信号の振幅レベル（マイク入力音量レベル）を周期的にサンプリングするとともに、各サンプリング回毎にそれぞれ、直近の所定回数分のサンプリング値群の相加平均値を演算して移動平均を求める。
【００２７】
マイク音量レベル検出部３３から取得されるマイク入力音量レベルは、図３中に波線のグラフ線で示すように、音量レベルの瞬時的な変化も忠実に反映しているが、この音量レベルが瞬時的に大きくなっても、それが必ずしも聴覚上の大音量と認識されるとは限らない。歌声音量には抑揚があって、音量過大でなくても、音量レベルのピークが、過大とされる基準レベルを瞬間的に超えてしまうことが頻繁に生じる。このため、マイク音量レベル検出部３３から取得される音量レベルだけでは、音量過大か否かを適切に判断することができない。
【００２８】
しかし、その音量レベルをある程度の長さの時系列区間で平均化した移動平均は、図３中に実線のグラフ線で示すように、音量レベルの瞬時的な振幅が平滑化されることにより、音量レベルの瞬時的な変動（短期変動）に擾乱されることなく、音量の大小を適切に反映することができる。
【００２９】
本発明の第１実施形態では、図２に示すように、マイク入力音量レベルのサンプリング毎にその音量レベルの移動平均を演算して求め、この求めた移動平均が所定の基準レベルを超えた場合に、伴奏音量制御部３５を介して伴奏音の音量レベルを一段階下げる制御を行う。この場合、この第１実施形態では音量レベルを下げる制御を１回だけ行うべく、フラグ制御を行う。
【００３０】
これにより、図３に示すように、歌唱音量の移動平均が所定の基準レベルを超えると、伴奏音楽の音量が急に一段階下がることになるが、伴奏音楽の音量が下がると、その伴奏音楽を聴きながら歌唱している歌唱者は、相対的に自分の歌唱音量が大きく聞こえるようになることにより、歌唱音量が大きすぎることに気付くことができ、これにより、自発的に歌声音量を下げる気になり、結果として、声が大きすぎる人にさりげなく注意を喚起する効果を得ることができる。
【００３１】
また、仮に、歌唱者が自分の歌唱音量を下げようとする意識を持たなくても、歌唱者が伴奏音楽に合わせて歌唱するためには、音量の下がった伴奏音楽を聴くことを余儀なくされ、そのためには、自分の歌声音量を下げざるを得なくなる。
【００３２】
このように、本発明のカラオケ装置によれば、伴奏音楽に合わせて歌唱する歌唱者の歌声音量が大きすぎた場合に、歌唱者にそのことを改まって注意するまでもなく、さりげなく気付かせて自発的に歌声音量を下げる気にならせる有効なきっかけを与えることができる。これにより、カラオケ利用の楽しみを損ねることなく、歌唱者の歌声音量レベルを高い確率で下げさせることができる。
【００３３】
＝＝＝第２実施形態の要部構成とその動作について＝＝＝
本発明の第２実施形態の要部を、図４のフローチャートと図５のグラフ（タイミングチャート）によって示す。 
上述した第１実施形態との相違に着目して説明すると、この第２実施形態では、図４および図５に示すように、マイク入力音量レベルの移動平均が所定の基準レベルを超える状態が生じた場合、伴奏音楽の音量レベルを一段階下げる制御を行うが、この制御の実行後にも、その移動平均が所定の基準レベルを超える状態が継続していた場合は、その継続時間をタイマーで計時する。そして、そのタイマーが所定時間を計時した後（タイムアップ）も、移動平均が所定の基準レベルを超える状態にあった場合、音量レベルをさらに一段階さげる制御を行う。
【００３４】
これにより、歌唱者に対し、改めて注意を喚起することを行わなくても、歌声音量を自発的に下げるようにさらに強くし向けることができる。
【符号の説明】
【００３５】
１１  中央処理装置
１２  ハードディスク装置
１３  光ディスク再生装置
１４  通信制御装置
１５  利用者インターフェイス装置
１５１  操作パネル
１５２  カラオケリモコン装置
１６  音楽生成装置
１７１  マイクロホン
１７２  スピーカ
１７  音響装置
１８  ディスプレイ（表示装置）
１９  映像処理装置
３１  マイクロホンアンプ
３２  マイク音量制御部
３３  マイク音量レベル検出部
３５  伴奏音量制御部
３６  ミキシングアンプ
【図１】
2011017998.tif 000003
【図２】
2011017998.tif 000004
【図３】
2011017998.tif 000005
【図４】
2011017998.tif 000006
【図５】
2011017998.tif 000007